(57)【要約】【課題】  旋回時におけるスライドコントロール性能とトラクション性能とを高める。【解決手段】  第１のブロック１１を含む複数のブロック１０が設けられる。第１のブロック１１は、ブロック本体１５から後着側に突出する中央のフィン２０ｃと外のフィン２０ｓとを具える。中央のフィン２０ｃの長さＬ２ｃを、外のフィン２０ｓの長さＬ２ｓより大とした。【選択図】図３
2020111263.tif 000002
【特許請求の範囲】
【請求項１】
トレッド部に、第１のブロックを含む複数のブロックが設けられた不整地走行用のタイヤであって、
前記第１のブロックは、タイヤ回転方向の先着側のエッジを有するブロック本体と、前記ブロック本体からタイヤ回転方向の後着側に、前記ブロック本体のタイヤ軸方向の幅Ｗ１よりも小な幅Ｗ２で突出する３本のフィンとを含み、
前記ブロック本体を、ブロック幅方向の中央領域とその両外側の外側領域との３つの領域に等区分したとき、
前記３本のフィンは、前記中央領域から後着側に突出する中央のフィンと、各外側領域から後着側に突出する外のフィンとからなり、
しかも前記中央のフィンのタイヤ周方向の長さＬ２ｃを、前記外のフィンのタイヤ周方向の長さＬ２ｓより大とした不整地走行用のタイヤ。
【請求項２】
前記中央のフィンのタイヤ周方向の長さＬ２ｃは、前記ブロック本体のタイヤ周方向の長さＬ１の０．５倍より大である、請求項１記載の不整地走行用のタイヤ。
【請求項３】
前記中央のフィンのタイヤ周方向の長さＬ２ｃは、前記外のフィンのタイヤ周方向の長さＬ２ｓの１．１倍以上である、請求項１又は２記載の不整地走行用のタイヤ。
【請求項４】
前記外のフィンのブロック幅方向の外側縁は、前記ブロック本体のブロック幅方向の外側縁の延長線上に位置する、請求項１〜３の何れかに記載の不整地走行用のタイヤ。
【請求項５】
前記中央のフィンの後着側の壁面、及び前記外のフィンの後着側の壁面は、トレッド底面とは曲率半径Ｒの円弧面を介して生らかに連なるとともに、前記曲率半径Ｒは、前記第１のブロックの周方向ピッチＰの０．１倍以下である、請求項１〜４の何れかに記載の不整地走行用のタイヤ。
【請求項６】
前記外のフィンのブロック幅方向の外壁面は、踏面に立てた法線に対する角度β１が−１０〜２０°である、請求項１〜５の何れかに記載の不整地走行用のタイヤ。
【請求項７】
前記ブロック本体は、前記先着側のエッジから後着側のエッジまでのびる浅溝を具える、請求項１〜６の何れかに記載の不整地走行用のタイヤ。
【請求項８】
前記中央のフィン及び前記外のフィンのタイヤ軸方向の幅Ｗ２は、それぞれ、前記ブロック本体のタイヤ軸方向の幅Ｗ１の０．０５〜０．２倍の範囲である、請求項１〜７の何れかに記載の不整地走行用のタイヤ。
【請求項９】
前記第１のブロックのゴム硬度は、７０以上である、請求項１〜８の何れかに記載の不整地走行用のタイヤ。 
【発明の詳細な説明】
【技術分野】
【０００１】
本発明は、自動二輪車用タイヤとして好適であり、旋回時におけるスライドコントロール性能とトラクション性能とを高めた不整地走行用のタイヤに関する。
【背景技術】
【０００２】
下記の特許文献１には、自動二輪車用タイヤとして好適であり、泥濘地等の軟弱路面走行時の直進安定性を高めた空気入りタイヤが提案されている。
【０００３】
この提案のタイヤは、タイヤ赤道を跨ぐセンターブロックの列を含む。各前記センターブロックは、タイヤ軸方向の幅がタイヤ周方向の長さより大きい横長状のブロック本体と、前記ブロック本体からタイヤ回転方向の後着側に突出する小幅の１本のキール部とを具える。
【先行技術文献】
【特許文献】
【０００４】
【特許文献１】特許第４２７２２４４号公報
【発明の概要】
【発明が解決しようとする課題】
【０００５】
このセンターブロックは、泥寧地でのパーシャル走行やブレーキング時において、キール部が軟弱地盤に突き刺さる。これにより、横滑りが抑えられ直進安定性が高まる。又、キール部は、ブロック本体を後着側から支えることで、該ブロック本体の接地時における後着側への変形を抑制し、トラクション性能を向上させる。
【０００６】
自動二輪車用タイヤでは、車体を大きくバンクさせて旋回走行が行われる。従って、タイヤのバンク角が比較的小である直進走行時或いは旋回初期においては、前記キール部が、軟弱地盤に接地するため、上記効果が有効に発揮されうる。
【０００７】
しかし、タイヤのバンク角がより大きくなる旋回中期以降においては、キール部が接地面から外れた状態が起こりうる。このとき、横滑りが発生し出し、タイヤのスライドコントロール性能が急に低下するという問題がある。又、キール部が接地面から外れることで、ブロック本体の接地部分（ブロック本体の一端側の部分）を支える効果が損なわれる。その結果、ブロック本体の接地部分の後着側への変形が大きくなり、トラクション性能が急に低下するという問題もある。
【０００８】
そこで本発明は、自動二輪車用タイヤとして好適であり、旋回時におけるスライドコントロール性能及びトラクション性能の低下を抑えうる不整地走行用のタイヤを提供することを課題としている。
【課題を解決するための手段】
【０００９】
本発明は、トレッド部に、第１のブロックを含む複数のブロックが設けられた不整地走行用のタイヤであって、
前記第１のブロックは、タイヤ回転方向の先着側のエッジを有するブロック本体と、前記ブロック本体からタイヤ回転方向の後着側に、前記ブロック本体のタイヤ軸方向の幅Ｗ１よりも小な幅Ｗ２で突出する３本のフィンとを含み、
前記ブロック本体を、ブロック幅方向の中央領域とその両外側の外側領域との３つの領域に等区分したとき、
前記３本のフィンは、前記中央領域から後着側に突出する中央のフィンと、各外側領域から後着側に突出する外のフィンとからなり、
しかも前記中央のフィンのタイヤ周方向の長さＬ２ｃを、前記外のフィンのタイヤ周方向の長さＬ２ｓより大としている。
【００１０】
本発明に係る不整地走行用のタイヤでは、前記中央のフィンのタイヤ周方向の長さＬ２ｃは、前記ブロック本体のタイヤ周方向の長さＬ１の０．５倍より大であるのが好ましい。
【００１１】
本発明に係る不整地走行用のタイヤでは、前記中央のフィンのタイヤ周方向の長さＬ２ｃは、前記外のフィンのタイヤ周方向の長さＬ２ｓの１．１倍以上であるのが好ましい。
【００１２】
本発明に係る不整地走行用のタイヤでは、前記外のフィンのブロック幅方向の外側縁は、前記ブロック本体のブロック幅方向の外側縁の延長線上に位置するのが好ましい。
【００１３】
本発明に係る不整地走行用のタイヤでは、前記中央のフィンの後着側の壁面、及び前記外のフィンの後着側の壁面は、トレッド底面とは曲率半径Ｒの円弧面を介して生らかに連なるとともに、前記曲率半径Ｒは、前記第１のブロックの周方向ピッチＰの０．１倍以下であるのが好ましい。
【００１４】
本発明に係る不整地走行用のタイヤでは、前記外のフィンのブロック幅方向の外壁面は、踏面に立てた法線に対する角度β１が−１０〜２０°であるのが好ましい。
【００１５】
本発明に係る不整地走行用のタイヤでは、前記ブロック本体は、前記先着側のエッジから後着側のエッジまでのびる浅溝を具えるのが好ましい。
【００１６】
本発明に係る不整地走行用のタイヤでは、前記中央のフィン及び前記外のフィンのタイヤ軸方向の幅Ｗ２は、それぞれ、前記ブロック本体のタイヤ軸方向の幅Ｗ１の０．０５〜０．２倍の範囲であるのが好ましい。
【００１７】
本発明に係る不整地走行用のタイヤでは、前記第１のブロックのゴム硬度は、７０以上であるのが好ましい。
【００１８】
本発明において、前記幅Ｗ１、Ｗ２、長さＬ１、Ｌ２ｃ、Ｌ２ｓは、第１のブロックの踏面において測定した値である。又、ゴム硬度は、ＪＩＳ−Ｋ６２５３に基づきデュロメータータイプＡにより、２３℃の環境下で測定したデュロメータＡ硬さである。
【発明の効果】
【００１９】
本発明では、第１のブロックは、ブロック本体の中央領域から後着側に突出する中央のフィンと、ブロック本体の各外側領域から後着側に突出する外のフィンとを具える。
【００２０】
従って、旋回時、タイヤのバンク角が大きくなって中央のフィンが接地面から外れた場合にも、一方の外のフィンが接地しうる。そのため、この接地する側の外のフィンが、横滑りを抑え、旋回時のスライドコントロール性能の急激な低下を抑えうる。又、接地する側の外のフィンがブロック本体を支え、中央のフィンが接地面から外れた後も、ブロック本体の接地部分の倒れ込みを抑えうる。そのため、旋回時のトラクション性能の急激な低下を抑えうる。
【００２１】
又、もし中央のフィンが、外のフィンとスライド方向に重なる場合、中央のフィンのスライド方向のエッジ成分が充分に機能せず、横滑りの抑制効果が減じる。しかし、本発明では、中央のフィンのタイヤ周方向の長さＬ２ｃを外のフィンのタイヤ周方向の長さＬ２ｓよりも大とし、外のフィンと重ならない部分を有するため、横滑りの抑制効果を高めうる。
【００２２】
又、外のフィンの長さＬ２ｓが短いことで、外のフィン自体が変形し難くなる。そのため、ブロック本体を支える効果が高くなり、中央のフィンが接地面から外れた後のブロック本体の接地部分の倒れ込みを抑え、旋回時のトラクション性能の急激な低下の抑制に有利となる。
【図面の簡単な説明】
【００２３】
【図１】本発明の不整地走行用のタイヤの一実施形態を示す断面図である。
【図２】そのトレッド部を平面に展開して示す平面図である。
【図３】（ａ）、（ｂ）は第１のブロックを示す斜視図及び平面図である。
【図４】（ａ）、（ｂ）は第２のブロックを示す斜視図及び平面図である。
【図５】（ａ）、（ｂ）は第３のブロックを示す斜視図及び平面図である。
【図６】（ａ）、（ｂ）は図３（ｂ）のＢ−Ｂ線断面図及びＣ−Ｃ線断面図である。
【図７】（ａ）、（ｂ）は、中央のフィンの後着側の壁面、及び外のフィンの後着側の壁面を示す周方向断面図である。
【図８】旋回時に中央のフィンが接地面から外れた状態を示す断面図である。
【図９】図４（ｂ）のＤ−Ｄ線断面図である。
【発明を実施するための形態】
【００２４】
以下、本発明の実施の形態について、詳細に説明する。
図１は図２のＡ−Ａ線断面を示す。図１に示すように、本実施形態の不整地走行用のタイヤ１（以下タイヤ１という）は、トレッド部２に、トレッド底面２Ｓから隆起する複数のブロック１０を具える。ブロック１０は、第１のブロック１１を含む。本例では、ブロック１０が、第１のブロック１１、第２のブロック１２、及び第３のブロック１３を含んで構成される。
【００２５】
タイヤ１は、トレッド部２からサイドウォール部３をへてビード部４に至るカーカス６と、カーカス６のタイヤ半径方向外側かつトレッド部２の内部に配されるトレッド補強コード層７とを含む。これらカーカス６及びトレッド補強コード層７としては、周知構造のものが好適に採用される。
【００２６】
本例では、タイヤ１は、自動二輪車用タイヤであって、トレッド部２の外表面である踏面Ｓは、タイヤ赤道Ｃからトレッド端Ｔｅまで、タイヤ半径方向外側に凸となる円弧状に湾曲する。トレッド端Ｔｅ、Ｔｅ間のタイヤ軸方向の直線幅であるトレッド幅ＴＷがタイヤ最大幅をなし、これにより自動二輪車用タイヤ特有の旋回性能が付与される。
【００２７】
図２に示すように、トレッド部２には、タイヤ赤道Ｃ上に配されるセンタブロック列Ｂｃ、トレッド端Ｔｅに沿って配されるショルダブロック列Ｂｓ、及び、センタブロック列Ｂｃとショルダブロック列Ｂｓとの間に配されるミドルブロック列Ｂｍが配される。
【００２８】
センタブロック列Ｂｃは、タイヤ周方向に配列する複数の第１のブロック１１により形成される。ミドルブロック列Ｂｍは、タイヤ周方向に配列する複数の第２のブロック１２により形成される。ショルダブロック列Ｂｓは、タイヤ周方向に配列する複数の第３のブロック１３により形成される。第３のブロック１３のタイヤ軸方向の外側縁が、トレッド端Ｔｅを構成する。第１のブロック１１のピッチ数、第２のブロック１２のピッチ数、及び第３のブロック１３のピッチ数は互いに同数である。
【００２９】
図３（ａ）、（ｂ）に示すように、第１のブロック１１は、ブロック本体１５と、３本のフィン２０とを具える。
【００３０】
踏面Ｓにおいて、ブロック本体１５は、そのタイヤ軸方向の幅Ｗ１がタイヤ周方向の長さＬ１よりも大きい横長状をなす。ブロック本体１５の前記幅Ｗ１と長さＬ１との比Ｗ１／Ｌ１は、特に規制されないが３．０〜６．５の範囲が、トラクションの観点から好ましい。ブロック本体１５の前記幅Ｗ１は、トレッド展開幅ＴＷ０（図２に示す）の０．２５〜０．３５倍の範囲が好ましい。便宜上、図２〜５において、踏面Ｓは、ドット模様で描かれている。
【００３１】
踏面Ｓにおいて、ブロック本体１５は、タイヤ回転方向Ｆの先着側（以下、単に「先着側」という場合がある。）のエッジ１６と、タイヤ回転方向Ｆの後着側（以下、単に「後着側」という場合がある。）のエッジ１７とを含む。
【００３２】
先着側のエッジ１６は、本例では、後着側に凹んでおり、最も後着側に位置する最凹部１８を有する。最凹部１８は、ブロック本体１５の幅中心線Ｘ上に位置するのが好ましい。本例では、幅中心線Ｘは、タイヤ赤道Ｃ上に位置する場合が示される。しかし、図示されないが、センタブロック列Ｂｃでは、幅中心線Ｘがタイヤ赤道Ｃの一方側にオフセットした一方の第１のブロック１１と、他方側にオフセットした他方の第１のブロック１１とが交互に、即ち千鳥状に配列しても良い。
【００３３】
先着側のエッジ１６は、前記最凹部１８からタイヤ軸方向両側に向かって先着側に傾斜してのびる一対の傾斜エッジ部１９を含む。本例では、各傾斜エッジ部１９が、最凹部１８からエッジ１６の外端まで、直線状にのびる場合が示される。即ち、エッジ１６の全体が、一対の傾斜エッジ部１９によって形成されている。これにより、本例のエッジ１６は、後着側に凹んだＶ字状に形成される。一方の傾斜エッジ部１９と他方の傾斜エッジ部１９とは、幅中心線Ｘを中心とした線対称に形成されているのが好ましい。しかし、一方の傾斜エッジ部１９と他方の傾斜エッジ部１９とは、互いに異なる形状や長さを有するものでも良い。
【００３４】
各傾斜エッジ部１９のタイヤ軸方向に対する角度θ１は１０〜４５°であるのが好ましい。
【００３５】
このようなブロック本体１５は、泥濘地を走行する際、傾斜エッジ部１９によって、泥を左右両側に逃がすことなく、ブロック中央側に掻き集め、これを剪断することができる。そのため大きなトラクションを得ることができる。
【００３６】
前記角度θ１の上限は、３０°以下さらには２０°以下が好ましく、これにより、比較的硬質な路面でも大きなトラクションを得ることができる。
【００３７】
後着側のエッジ１７は、ブロック本体１５の剛性の均一化のために、先着側のエッジ１６と実質的に平行であるのが好ましい。「実質的に平行」には、エッジ１６とエッジ１７とが１０度以下の角度で傾斜する場合も含まれる。
【００３８】
なお先着側のエッジ１６としては、後着側に円弧状に凹んだ略Ｕ字状に形成されてもよい。この場合、エッジ１６は、最凹部１８からタイヤ軸方向両側に向かって円弧状に湾曲する円弧状エッジを含んで構成される。この略Ｕ字状のエッジ１６も、泥をブロック中央側に掻き集めて大きなトラクションを得ることができる。エッジ１６としては、後着側に凹むことなくタイヤ軸方向にのびる直線であっても良い。
【００３９】
図６（ａ）に、図３（ｂ）のＢ−Ｂ線断面が示される。この断面は、先着側のエッジ１６に連なる先着側の壁面１６ｗを示す。壁面１６ｗは、大きなトラクションを得るために、踏面Ｓに立てた法線に対する角度α１が７°以下、さらには５°以下であるのが好ましい。後着側のエッジ１７に連なる後着側の壁面１７ｗは、踏面Ｓ側の上壁面部１７ｗａと、この上壁面部１７ｗａに連なる下壁面部１７ｗｂとを含む。上壁面部１７ｗａは、泥濘地内への刺さり込みを良好とするために、法線に対する角度α２が７°以下、さらには５°以下であるのが好ましい。下壁面部１７ｗｂは、ブロック本体１５の後着側への倒れ込みを抑える観点から、法線に対する角度α３は、角度α２よりも大、特には２５〜４５°の範囲が好ましい。
【００４０】
次に、図３（ａ）、（ｂ）に示すように、３本のフィン２０が、ブロック本体１５から後着側に突出する。フィン２０のタイヤ軸方向の幅Ｗ２は、それぞれ、ブロック本体１５の前記幅Ｗ１よりも小であり、好ましくは幅Ｗ１の０．０５〜０．２倍の範囲である。
【００４１】
３本のフィン２０は、中央のフィン２０ｃと、外のフィン２０ｓ、２０ｓとから構成される。詳しくは、ブロック本体１５を、ブロック幅方向の中央領域Ｙｃと、その両外側の外側領域Ｙｓとの３つの領域に等区分したとき、中央のフィン２０ｃは、中央領域Ｙｃから後着側に突出している。中央のフィン２０ｃは、好ましくは、幅中心線Ｘ上に配される。外のフィン２０ｓは、各外側領域Ｙｓから後着側に突出している。
【００４２】
中央のフィン２０ｃのタイヤ周方向の長さＬ２ｃは、外のフィン２０ｓのタイヤ周方向の長さＬ２ｓよりも大である。
【００４３】
このような３本のフィン２０は、ブロック本体１５の後着側への倒れ込みを、広範囲で抑える。これにより、倒れ込みに起因して剪断力が下がるのを抑制しうる。なおフィンが一つの場合には、支えが一ヶ所となるため、全体の倒れ込みを抑えることが難しい。
【００４４】
又、フィン２０を３本とすることで、倒れ込みの抑制効果を発揮しながら、一つ一つのフィンの幅Ｗ２を小とすることができる。これにより、接地始めのブロックの泥濘地内への刺さり込みを良好に保つことができる。そして、これらの相乗効果により、剪断力をより高め、トラクション性能を向上させることができる。
【００４５】
さらに本発明では、図８に示すように、旋回時、タイヤ１のバンク角が大きくなって中央のフィン２０ｃが接地面ＧＬから外れた場合にも、一方の外のフィン２０ｓが接地しうる。そのため、この接地する側の外のフィン２０ｓが、横滑りを抑え、旋回時のスライドコントロール性能の急激な低下を抑えうる。又、接地する側の外のフィン２０ｓがブロック本体１５の接地部分を支えるため、中央のフィン２０ｃが接地面ＧＬから外れた後も、ブロック本体１５の接地部分の倒れ込みを抑えうる。そのため、旋回時のトラクション性能の急激な低下を抑えうる。
【００４６】
図３（ｂ）に示すように、中央のフィン２０ｃのタイヤ周方向の長さＬ２ｃは、外のフィン２０ｓのタイヤ周方向の長さＬ２ｓよりも大である。そのため、中央のフィン２０ｃが、外のフィン２０ｓとスライド方向に重ならない部分を有する。これにより、特に、横滑りの抑制効果が高められる。
【００４７】
又、逆に外のフィン２０ｓの長さＬ２ｓが短いことで、外のフィン２０ｓ自体が変形し難くなる。これによりブロック本体１５を支える効果が高くなり、中央のフィン２０ｃが接地面ＧＬから外れた後も、ブロック本体１５の接地部分の倒れ込みが抑えられる。そのため、旋回時のトラクション性能の急激な低下の抑制に有利となる。
【００４８】
中央のフィン２０ｃの前記長さＬ２ｃは、外のフィン２０ｓの前記長さＬ２ｓの１．１倍以上であるのが好ましい。長さＬ２ｃが長さＬ２ｓの１．１倍を下回ると、中央のフィン２０ｃが、外のフィン２０ｓとスライド方向に重ならない部分が少なくなるため、横滑りの抑制効果が低下する。
【００４９】
又、中央のフィン２０ｃの前記長さＬ２ｃは、ブロック本体１５の前記長さＬ１の０．５倍より大であるのが好ましい。長さＬ２ｃが長さＬ１の０．５倍以下になると、ブロック本体１５への支えの効果が不充分となるとともに、横滑りの抑制効果も減少する。そのため、長さＬ２ｃの下限値は長さＬ１の０．６倍以上が好ましい。しかし長さＬ２ｃが長すぎても、中央のフィン２０ｃ自体が歪んで倒れ易くなってしまい、ブロック本体１５への支えの効果が低下する。そのため、長さＬ２ｃの上限値は長さＬ１の１．３倍以下が好ましい。
【００５０】
ブロックの泥濘地内への刺さり込み性、ブロック本体１５への支えの効果、及び横滑りの抑制の観点から、中央のフィン２０ｃ及び外のフィン２０ｓのタイヤ軸方向の各幅Ｗ２ｃ、Ｗ２ｓは、それぞれ、ブロック本体１５のタイヤ軸方向の幅Ｗ１の０．０５〜０．２倍の範囲が好ましい。幅Ｗ２ｃ、Ｗ２ｓが、幅Ｗ１の０．０５倍を下回ると、フィン自体の剛性が減じ、横滑りの抑制効果が低下するとともに、ブロック本体１５への支えの効果が不充分となる。逆に０．２倍を超えると、泥濘地内へのブロックの刺さり込み性が悪くなる。なお幅Ｗ２ｃは、幅Ｗ２ｓよりも大であることが好ましい。特には、比Ｗ２ｃ／Ｗ２ｓが、１．１以上であるのが好ましい。
【００５１】
外のフィン２０ｓのブロック幅方向の外側縁Ｅ２０は、ブロック本体１５のブロック幅方向の外側縁Ｅ１５の延長線上に位置するのが好ましい。これにより、タイヤ１のより大きなバンク角に対して、外のフィン２０ｓが接地可能となる。そのため、旋回時、スライドコントロール性能の急激な低下を起こりにくくすることができる。
【００５２】
図６（ｂ）に、図３（ｂ）のＣ−Ｃ線断面が示される。この断面は、外のフィン２０ｓのブロック幅方向の外壁面４３ｗを示す。外壁面４３ｗは、外のフィン２０ｓの剛性を高めるために、踏面Ｓに立てた法線に対する角度β１が−１０〜２０°の範囲に設定される。なお−（マイナス）表示は、外壁面４３ｗと踏面Ｓとの間の角度が鋭角となる向きの角度である。角度β１を上記範囲とすることにより、旋回時、バンク角が大きくなって中央のフィン２０ｃが接地面ＧＬから外れた時の剛性の下がり具合が小さくなる。その結果、横滑りを抑え、旋回時のスライドコントロール性能の急激な低下を抑えうる。さらにブロック本体１５の接地部分の倒れ込みを抑え、旋回時のトラクション性能の急激な低下を抑えうる。
【００５３】
図７（ａ）に中央のフィン２０ｃの後着側の壁面４４ｗの周方向断面図、及び外のフィン２０ｓの後着側の壁面４５ｗの周方向断面図が示される。壁面４４ｗは、踏面Ｓ側の上壁面部４４ｗａと、この上壁面部４４ｗａに連なる下壁面部４４ｗｂとを含む。壁面４５ｗも、踏面Ｓ側の上壁面部４５ｗａと、この上壁面部４５ｗａに連なる下壁面部４５ｗｂとを含む。上壁面部４４ｗａ、４５ｗａは、泥濘地内への刺さり込みを良好とするために、法線に対する角度β２が７°以下、さらには５°以下であるのが好ましい。下壁面部４４ｗｂ、４５ｗｂは、ブロック本体１５の後着側への倒れ込みを抑える観点から、法線に対する角度β３は、角度β２よりも大、特には１０〜２５°の範囲が好ましい。下壁面部４４ｗｂ、４５ｗｂは、トレッド底面２Ｓとは曲率半径Ｒの円弧面４６を介して生らかに連なる。このとき、曲率半径Ｒは、第１のブロック１１の周方向ピッチＰ（図２に示す）の０．１倍以下であるのが好ましい。これにより、フィン２０ｃ、２０ｓ自体の剛性を高め、ブロック本体１５への支えの効果と、横滑りの抑制効果をバランス良く高める。
【００５４】
第１のブロック１１のゴム硬度が低いと、ブロック剛性が減じて変形し易くなる。従って、ブロックの泥濘地内への刺さり込み性と、ブロックの倒れ込みの抑制との両立のためには、ゴム硬度を７０以上とするのが好ましい。ゴム硬度の上限は、ブロック欠け等の観点から９０以下が好ましい。
【００５５】
図３（ａ）、（ｂ）に示すように、ブロック本体１５は、本例では、先着側のエッジ１６から後着側のエッジ１７までのびる浅溝２２を具える。本例の浅溝２２は、先着側のエッジ１６からのびる第１溝部２２ａと、この第１溝部２２ａから両側に分岐する２つの分岐溝部２２ｂとを有するＹ字状に形成される。本例では、第１溝部２２ａは、幅中心線Ｘ上を通り、分岐溝部２２ｂは、中央のフィン２０ｃを跨ぐ。
【００５６】
ここで、第１のブロック１１では、複数のフィン２０を有することでブロック剛性が増し、踏面Ｓが硬直化する。その結果、路面への追従性が減じて接地性が低下する傾向がある。これに対して、浅溝２２は、ブロック剛性を維持しながら、踏面Ｓの硬直化を抑え、接地性を高めうるという効果がある。これにより、トラクション性能の向上に、さらに貢献できる。
【００５７】
図６（ａ）に示すように、浅溝２２の溝深さｈ２２は、第１のブロック１１の高さｈ１１の１５〜２５％であるのが好ましく、１５％を下回ると、上記効果（踏面Ｓの硬直化の抑制）が期待できなくなる。逆に、溝深さｈ２２が、高さｈ１１の２５％を越えると、ブロック剛性自体の低下を招き、ブロックの倒れ込みが大きくなって、トラクション性能が低下する。
【００５８】
図３（ｂ）に示すように、浅溝２２の溝幅Ｗ２２は、ブロック本体１５の前記幅Ｗ１の２．５〜６．５％であるのが好ましく、２．５％を下回ると、上記効果（踏面Ｓの硬直化の抑制）が期待できなくなる。逆に、溝幅Ｗ２２が、幅Ｗ１の６．５％を越えると、接地面積が減じて、トラクション性能が低下する。
【００５９】
図４（ａ）、（ｂ）に示すように、第２のブロック１２は、本例では、第１のブロック１１と同様に、ブロック本体２５と、複数（本例では２本）のフィン３０とを具える。
【００６０】
踏面Ｓにおいて、ブロック本体２５は、そのタイヤ軸方向の幅Ｗ３がタイヤ周方向の長さＬ３よりも大きい横長状をなす。ブロック本体２５の前記幅Ｗ３と長さＬ３との比Ｗ３／Ｌ３は、前記第１のブロック１１の比Ｗ１／Ｌ１より小であるのが好ましい。特に規制されないが、長さＬ３と長さＬ１との比Ｌ３／Ｌ１は０．８５〜１．１５が好ましく、幅Ｗ３と幅Ｗ１との比Ｗ３／Ｗ１は０．４〜０．７が好ましい。
【００６１】
踏面Ｓにおいて、ブロック本体２５は、タイヤ回転方向Ｆの先着側（以下、単に「先着側」という場合がある。）のエッジ２６と、タイヤ回転方向Ｆの後着側（以下、単に「後着側」という場合がある。）のエッジ２７とを含む。
【００６２】
先着側のエッジ２６は、タイヤ軸方向内側から外側に向かって先着側に傾斜してのびる傾斜エッジ部２９を含む。本例では、傾斜エッジ部２９が、エッジ２６の内端から外端まで直線状にのびる場合が示される。即ち、エッジ２６の全体が、傾斜エッジ部２９によって形成されている。傾斜エッジ部２９のタイヤ軸方向に対する角度θ２は１０〜４５°であり、特には前記角度θ１と実質的に等しいのが好ましい。「実質的に等しい」には角度差｜θ１−θ２｜が５度以下の場合も含まれる。
【００６３】
なお後着側のエッジ２７は、ブロック本体２５の剛性の均一化のために、先着側のエッジ２６と実質的に平行であるのが好ましい。
【００６４】
図９に、図４（ｂ）のＤ−Ｄ線断面が示される。図９に示すように、先着側のエッジ２６に連なる先着側の壁面２６ｗは、大きなトラクションを得るために、踏面Ｓに立てた法線に対する角度α４が７°以下、さらには５°以下であるのが好ましい。後着側のエッジ２７に連なる後着側の壁面２７ｗは、踏面Ｓ側の上壁面部２７ｗａと、この上壁面部２７ｗａに連なる下壁面部２７ｗｂとを含む。上壁面部２７ｗａは、泥濘地内への刺さり込みを良好とするために、法線に対する角度α５が７°以下、さらには５°以下であるのが好ましい。下壁面部２７ｗｂは、ブロック本体２５の後着側への倒れ込みを抑える観点から、法線に対する角度α６は、角度α５よりも大、特には２５〜４５°の範囲が好ましい。
【００６５】
図４（ａ）、（ｂ）に示すように、複数のフィン３０が、ブロック本体２５から後着側に突出する。フィン３０のタイヤ軸方向の幅Ｗ４は、ブロック本体２５の前記幅Ｗ３よりも小であり、好ましくは幅Ｗ３の０．０５〜０．２倍の範囲が望ましい。
【００６６】
このような複数のフィン３０は、ブロック本体２５を後着側から支え、後着側への倒れ込みを広範囲で抑える。
【００６７】
又、フィン３０を複数とすることで、倒れ込みの抑制効果を発揮しながら、一つ一つのフィンの幅Ｗ４を小とすることができる。これにより、接地始めのブロックの泥濘地内への刺さり込みを良好に保つことができる。ブロックの泥濘地内への刺さり込み性と、ブロックの倒れ込みの抑制との両立のために、フィン３０の幅Ｗ４をブロック本体２５の幅Ｗ３の０．０５〜０．２倍とすることが好ましい。
【００６８】
フィン３０のうちで、ブロック幅方向の最外側に配されるフィン（本例では外のフィン３０ｓ）のブロック幅方向の外側縁Ｅ３０は、ブロック本体２５のブロック幅方向の外側縁Ｅ２５の延長線上に位置するのが好ましい。これにより、刺さり始めにおいて、ブロック本体２５の両端を支えることができるため、倒れ込みの抑制効果をより高めることができる。
【００６９】
フィン３０のタイヤ周方向の長さＬ４は、ブロック本体２５のタイヤ周方向の長さＬ３の０．６〜１．３倍の範囲が好ましい。長さＬ４が長さＬ３の１．３倍を超えると、フィン３０自体が歪んで倒れ易くなってしまい、ブロック本体２５への支えの効果が低下する。長さＬ４が長さＬ３の０．６倍を下回る場合にも、ブロック本体２５を充分に支えることができず、同様に、ブロックの倒れ込みの抑制効果が低下する。
【００７０】
図２に示すように、第２のブロック１２は、第１のブロック１１よりも先着側に距離Ｋ０で変位している。前記距離Ｋ０は、前記ブロック本体２５の長さＬ３の０．８〜１．２倍であるのが好ましい。このような配置は、第２のブロック１２の先着側のエッジ２６から零れた土を、第１のブロック１１の先着側のエッジ１６で受け止めさせることができるため、第１、第２のブロック１１、１２と協働して、トラクション性能をより向上しうる。
【００７１】
図５（ａ）、（ｂ）に示すように、踏面Ｓにおいて、第３のブロック１３は、先着側のエッジ３６と、後着側のエッジ３７とを有する。先着側のエッジ３６は、タイヤ軸方向内側から外側に向かって先着側に傾斜してのびる傾斜エッジ部３９を含む。本例では、傾斜エッジ部３９が、エッジ３６の内端から外端まで直線状にのびる場合が示される。即ち、エッジ３６の全体が、傾斜エッジ部３９によって形成されている。傾斜エッジ部３９のタイヤ軸方向に対する角度θ３は１０〜４５°であり、特には前記角度θ１、θ２と実質的に等しいのが好ましい。
【００７２】
後着側のエッジ３７は、先着側のエッジ３６と逆方向に傾斜する。これにより、第３のブロック１３、１３間における泥捌け性が高められ、目詰まりによるトラクション性能の低下を抑制しうる。
【００７３】
図２に示すように、第３のブロック１３は、第２のブロック１２よりも先着側に距離Ｋ１で変位している。前記距離Ｋ１は、前記距離Ｋ０の１．０〜２．０倍であるのが好ましい。このような配置は、第３のブロック１３の先着側のエッジ３６からこぼれた土を、第２のブロック１２の先着側のエッジ２６、及び第１のブロック１１の先着側のエッジ１６で順次受け止めさせることができるため、第１〜第３のブロック１１〜１３と協働して、トラクション性能をより向上しうる。
【００７４】
以上、本発明の特に好ましい実施形態について詳述したが、本発明は図示の実施形態に限定されることなく、種々の態様に変形して実施しうる。
【実施例】
【００７５】
図２の基本パターンを有する不整地走行用の自動二輪車用の後輪タイヤが、表１の仕様に基づき試作された。そして、各テストタイヤのトラクション性能及びスライドコントロール性能がテストされた。各テストタイヤとも、第１のブロックにおけるフィンの形成数、形成位置、幅Ｗ２ｃ、Ｗ２ｓ、長さＬ２ｃ、Ｌ２ｓのみ相違する。なお比較例１では、第１のブロックのブロック本体に、１つのフィンのみが設けられており、このフィンは、幅中心線Ｘ上で後着側にのびる。各テストタイヤとも、第１のブロックのブロック本体において、
・Ｗ１／Ｌ１＝４．３
・傾斜エッジ部の角度θ１＝１５度
で同一である。
【００７６】
各テストタイヤの共通仕様やテスト方法は、以下の通りである。
・使用車両：排気量４５０cc のモトクロス競技車両
タイヤ
・前輪（共通使用）：市販の不整地走行用タイヤ（タイヤサイズ８０／１００−２１、リムサイズ１．６０ＷＭ）
・後輪：表１のテストタイヤ（タイヤサイズ１２０／８０−１９、リムサイズ２．１５ＷＭ）
・内圧；前輪、後輪ともに８０kPa
テスト方法は以下の通りである。
【００７７】
＜トラクション性能＞
上記車両で不整地面を走行し、旋回時におけるトラクション性能とスライドコントロール性能とが、それぞれテストライダーの官能により１０点満点で評価された。数値が大きいほど優れている。
【００７８】
【表１】
2020111263.tif 000003
【００７９】
表に示されるように、実施例品は、トラクション性能とスライドコントロール性能とが向上していることが確認できる。
【符号の説明】
【００８０】
１  不整地走行用のタイヤ
２  トレッド部
２Ｓ  トレッド底面
１０  ブロック
１１  第１のブロック
１５  ブロック本体
１６  先着側のエッジ
１７  後着側のエッジ
２０  フィン
２０ｃ  中央のフィン
２０ｓ  外のフィン
４３  外のフィンの外壁面
２２  浅溝
４４ｗ、４５ｗ  フィンの後着側の壁面
４６  円弧面
Ｅ２０  外側縁
Ｅ１５  外側縁
Ｆ  タイヤ回転方向
Ｓ  踏面
Ｙｃ  中央領域
Ｙｓ  外側領域
【図１】
2020111263.tif 000004
【図２】
2020111263.tif 000005
【図３】
2020111263.tif 000006
【図４】
2020111263.tif 000007
【図５】
2020111263.tif 000008
【図６】
2020111263.tif 000009
【図７】
2020111263.tif 000010
【図８】
2020111263.tif 000011
【図９】
2020111263.tif 000012